(57)【要約】【課題】搬送装置を簡易に点検する。【解決手段】対象物を自動的に搬送する搬送装置１００を点検する装置点検方法であって、対象物、または、対象物を模したダミーである被搬送体２１１に、表示装置３１０、内部検出器３２０、入力手段３３０、記憶手段３５０、通信手段３４０、および、制御手段３７０を備える端末装置３００を取り付け、内部検出器３２０は、加速度センサ、ジャイロセンサ、磁気センサ、照度センサ、カメラ、および、マイクから選ばれる１または複数の検出器を含み、取り付けられた端末装置３００の内部検出器３２０の少なくとも１つの検出器を稼働させた状態で被搬送体２１１を搬送装置１００で搬送し、検出器３２０から出力される情報に時刻情報が関連付けられたデータを記憶手段３５０に記憶し、データを時系列に沿って表示装置３１０に出力する。【選択図】図２
2019006509.tif 000002
【特許請求の範囲】
【請求項１】
対象物を自動的に搬送する搬送装置を点検する装置点検方法であって、
対象物、または、対象物を模したダミーである被搬送体に、表示装置、内部検出器、入力手段、記憶手段、通信手段、および、制御手段を備える端末装置を取り付け、
前記内部検出器は、加速度センサ、ジャイロセンサ、磁気センサ、照度センサ、カメラ、および、マイクから選ばれる１または複数の検出器を含み、
取り付けられた前記端末装置の前記内部検出器の少なくとも１つの検出器を稼働させた状態で前記被搬送体を前記搬送装置で搬送し、
前記検出器から出力される情報に時刻情報が関連付けらけれたデータを前記記憶手段、および、外部の記憶手段の少なくとも一方に記憶し、
前記データを時系列に沿って前記表示装置、および、外部の少なくとも一方に出力する
装置点検方法。
【請求項２】
前記被搬送体は、上部が開放された箱状の部材であり、
前記内部検出器は、カメラを含み、
前記カメラの視野が前記被搬送体の内方および外方を含むように前記端末装置を前記被搬送体の内面に取り付ける
請求項１に記載の装置点検方法。
【請求項３】
前記内部検出器は、前記カメラとして前記被搬送体の外方を撮像する外カメラと、前記被搬送体の内方を撮像する内カメラとを備え、
前記外カメラ、および、前記内カメラを同時に、または、交互に稼働させた状態で前記被搬送体を前記搬送装置で搬送し、
前記外カメラに基づく画像データと前記内カメラに基づく画像データとを同時に、または、切り替えて前記表示装置、および、外部の少なくとも一方に出力する
請求項１または２に記載の装置点検方法。
【請求項４】
前記端末装置は、前記搬送装置における搬送ルートを識別するルート情報を前記入力手段により受け付け、
前記データに前記ルート情報を関連付けて前記記憶手段、および、外部の記憶手段の少なくとも一方に記憶する
請求項１から３のいずれか一項に記載の装置点検方法。
【請求項５】
前記被搬送体に錘を取り付け、または、前記被搬送体から錘を取り外し、
前記端末装置は、前記被搬送体の重さを示す重量情報を前記入力手段により受け付け、
前記データに前記重量情報を関連付けて前記記憶手段、および、外部の記憶手段の少なくとも一方に記憶する
請求項１から４のいずれか一項に記載の装置点検方法。
【請求項６】
前記端末装置は、外部検出器を接続する接続手段を備え、
前記外部検出器は、一酸化炭素センサ、二酸化炭素センサ、温度センサ、湿度センサ、から選ばれる１または複数の検出器を含み、
接続された前記外部検出器の少なくとも１つの検出器を稼働させた状態で前記被搬送体を前記搬送装置で搬送し、
前記検出器から出力される情報に時刻情報が関連付けられたデータを前記記憶手段、および、外部の記憶手段の少なくとも一方に記憶する
請求項１から５のいずれか一項に記載の装置点検方法。
【請求項７】
複数の前記データを同期させて前記表示装置に表示する
請求項１から６のいずれか一項に記載の装置点検方法。
【請求項８】
対象物を自動的に搬送する搬送装置を点検する装置点検システムであって、
対象物、または、対象物を模したダミーである被搬送体と、
内部検出器、表示装置、入力手段、記憶手段、通信手段、および、制御手段を備え、前記被搬送体に取り付けられる端末装置と、を備え、
前記内部検出器は、加速度センサ、ジャイロセンサ、磁気センサ、照度センサ、カメラ、および、マイクから選ばれる１または複数の検出器を含み、
前記搬送装置による前記被搬送体の搬送中において、前記端末装置の制御手段は、前記内部検出器の少なくとも１つの検出器を稼働させ、前記検出器から出力される情報に時刻情報が関連付らけれたデータを前記記憶手段、および、外部の記憶手段の少なくとも一方に記憶させる
装置点検システム。
【発明の詳細な説明】
【技術分野】
【０００１】
本願発明は、対象物を自動的に搬送する搬送装置の状態を点検する装置点検方法、および、装置点検システムに関する。
【背景技術】
【０００２】
対象物を搬送する搬送装置は、正常に搬送していても、搬送する対象物に収容される商品の種類によってはケース内で商品が転倒したり、商品がケースからはみだしたりするなどの事故が発生する可能性がある。このような事故の発生は、商品特性（重量、形状、詰合せ）により状況が異なり、事故の検証などは対象物のぶつかりや方向転換を目視確認していた。
【０００３】
また、対象物を安全に搬送できる搬送速度を選定する場合などにおいて、対象物の搬送状態を把握したいとの要求もある。
【０００４】
例えば、特許文献１には、専用のセンサが取り付けられたダミーを搬送装置で搬送し、搬送ルートの環境を点検する技術が記載されている。
【先行技術文献】
【特許文献】
【０００５】
【特許文献１】特開２００７−２９７１９６号公報
【発明の概要】
【発明が解決しようとする課題】
【０００６】
ところが、搬送装置には搬送ルートが数ｋｍに及ぶ長いものや、調整員が入れない場所、高所にコンベヤが設置されていることも多く、目視確認ができない場合、観測用のカメラなどを設置することのできないものなども存在しており、搬送装置を点検して搬送装置の状態を把握することが困難な場合がある。さらに、搬送装置の故障ではない搬送不具合に対する再現性が少なく、数値化ができないため、何が悪いのか原因がわかりにくい。また、搬送装置の経年変化を観ることができない。
【０００７】
上記の様な観点から搬送装置自体の状態を搬送ルートに沿って簡易に点検したいとの要求がある。
【０００８】
本願発明は上記要求に鑑みなされたものであり、簡易に搬送装置を点検することのできる装置点検方法、および、装置点検システムを提供する。
【課題を解決するための手段】
【０００９】
本願発明の１つである装置点検方法は、対象物を自動的に搬送する搬送装置を点検する装置点検方法であって、対象物、または、対象物を模したダミーである被搬送体に、表示装置、内部検出器、入力手段、記憶手段、通信手段、および、制御手段を備える端末装置を取り付け、前記内部検出器は、加速度センサ、ジャイロセンサ、磁気センサ、照度センサ、カメラ、および、マイクから選ばれる１または複数の検出器を含み、取り付けられた前記端末装置の前記内部検出器の少なくとも１つの検出器を稼働させた状態で前記被搬送体を前記搬送装置で搬送し、前記検出器から出力される情報に時刻情報が関連付けらけれたデータを前記記憶手段、および、外部の記憶手段の少なくとも一方に記憶し、前記データを時系列に沿って前記表示装置、および、外部の少なくとも一方に出力する。
【００１０】
これによれば、スマートフォンやタブレット端末などの端末装置を用い、端末装置が備える検出器や機能を利用することで、操業中においても搬送ルートの複数箇所における搬送装置の状態を簡易に点検することが可能となる。
【００１１】
また、前記被搬送体は、上部が開放された箱状の部材であり、前記内部検出器は、カメラを含み、前記カメラの視野が前記被搬送体の内方および外方を含むように前記端末装置を前記被搬送体の内面に取り付けてもよい。
【００１２】
これによれば、搬送ルートにおける被搬送体の位置とその時の被搬送体内方の状態を把握することができ、異常の発生箇所を容易に特定することが可能となる。
【００１３】
また、前記内部検出器は、前記カメラとして前記被搬送体の外方を撮像する外カメラと、前記被搬送体の内方を撮像する内カメラとを備え、前記外カメラ、および、前記内カメラを同時に、または、交互に稼働させた状態で前記被搬送体を前記搬送装置で搬送し、前記外カメラに基づく画像データと前記内カメラに基づく画像データとを同時に、または、切り替えて前記表示装置、および、外部の少なくとも一方に出力してもよい。
【００１４】
これによれば、搬送ルートの外部状況と被搬送体の内部状況とを時系列に沿って確認することができ、被搬送体内部に生じた物品が転倒するなどの事象と搬送ルートにおける異常箇所などとを関連付けることができ、搬送装置の搬送状態が把握し易くなる。
【００１５】
また、前記端末装置は、前記搬送装置における搬送ルートを識別するルート情報を前記入力手段により受け付け、前記データに前記ルート情報を関連付けて前記記憶手段、および、外部の記憶手段の少なくとも一方に記憶してもよい。
【００１６】
これによれば、同じ搬送ルートの過去のデータとを比較することができ、搬送装置の経年変化を容易に把握することができる。
【００１７】
また、前記被搬送体に錘を取り付け、または、前記被搬送体から錘を取り外し、前記端末装置は、前記被搬送体の重さを示す重量情報を前記入力手段により受け付け、前記データに前記重量情報を関連付けて前記記憶手段、および、外部の記憶手段の少なくとも一方に記憶してもよい。
【００１８】
これによれば、被搬送体の重さの違いによる搬送装置の状態を容易に把握することができる。
【００１９】
また、前記端末装置は、外部検出器を接続する接続手段を備え、前記外部検出器は、一酸化炭素センサ、二酸化炭素センサ、温度センサ、湿度センサ、から選ばれる１または複数の検出器を含み、接続された前記外部検出器の少なくとも１つの検出器を稼働させた状態で前記被搬送体を前記搬送装置で搬送し、前記検出器から出力される情報に時刻情報が関連付けられたデータを前記記憶手段、および、外部の記憶手段の少なくとも一方に記憶してもよい。
【００２０】
これによれば、内部検出器に加えて外部検出器からの情報により搬送装置が設置されている環境の様々な情報も合わせて確認することができる。
【００２１】
また、複数の前記データを同期させて前記表示装置に表示してもよい。
【００２２】
これによれば、同じ時系列で並べて表示されたデータを相互に参照することができ、異常が発生した箇所の各データの因果関係を詳細に確認することができる。
【００２３】
また、本願発明の他の１つである装置点検システムは、対象物を自動的に搬送する搬送装置を点検する装置点検システムであって、対象物、または、対象物を模したダミーである被搬送体と、内部検出器、表示装置、入力手段、記憶手段、通信手段、および、制御手段を備え、前記被搬送体に取り付けられる端末装置と、を備え、前記内部検出器は、加速度センサ、ジャイロセンサ、磁気センサ、照度センサ、カメラ、および、マイクから選ばれる１または複数の検出器を含み、前記搬送装置による前記被搬送体の搬送中において、前記端末装置の制御手段は、前記内部検出器の少なくとも１つの検出器を稼働させ、前記検出器から出力される情報に時刻情報が関連付らけれたデータを前記記憶手段、および、外部の記憶手段の少なくとも一方に記憶させる。
【００２４】
これによれば、スマートフォンやタブレット端末などの端末装置を用い、端末装置が備える検出器や機能を利用することで、操業中においても搬送ルートの複数箇所における搬送装置の状態を簡易にロギングすることができ、搬送装置の点検に用いることが可能となる。
【００２５】
なお、前記装置点検方法が含む各処理をコンピュータに実行させるためのプログラムを実施することも本願発明の実施に該当する。無論、そのプログラムが記録された記録媒体を実施することも本願発明の実施に該当する。
【発明の効果】
【００２６】
搬送装置の搬送状態を簡易に点検することができる。
【図面の簡単な説明】
【００２７】
【図１】図１は、搬送装置の一例を対象物を保管するラックと共に示す斜視図である。
【図２】図２は、端末装置が取り付けられた被搬送体を示す斜視図である。
【図３】図３は、端末装置の機構構成を示すブロック図である。
【図４】図４は、装置点検方法の流れを示すフローチャートである。
【図５】図５は、端末装置の表示装置における画像データと加速度データの表示例を示す図である。
【図６】図６は、端末装置の表示装置における加速度データと角加速度データの表示例を示す図である。
【図７】図７は、端末装置が取り付けられた被搬送体の他の例を示す斜視図である。
【図８】図８は、端末装置が取り付けられた被搬送体の他の例を示す斜視図である。
【発明を実施するための形態】
【００２８】
次に、本願発明に係る装置点検方法の実施の形態について、図面を参照しつつ説明する。なお、以下の実施の形態は、本願発明に係る装置点検方法の一例を示したものに過ぎない。従って本願発明は、以下の実施の形態を参考に請求の範囲の文言によって範囲が画定されるものであり、以下の実施の形態のみに限定されるものではない。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００２９】
また、図面は、本願発明を示すために適宜強調や省略、比率の調整を行った模式的な図となっており、実際の形状や位置関係、比率とは異なる場合がある。
【００３０】
図１は、搬送装置の一例を対象物を保管するラックと共に示す斜視図である。
【００３１】
同図に示す搬送装置１００は、対象物２００を上下方向、および、水平面内の一方向である左右方向に搬送可能ないわゆるスタッカクレーンである。また、搬送装置１００は、移載装置１２０を備えており、水平面内において左右方向と直交する前後方向に対象物２００を搬送し、搬送装置１００とラック２１０との間で対象物２００を移載することができるものとなっている。
【００３２】
なお、搬送装置１００は、スタッカクレーンに限定されるものではなく、対象物２００を自動的に移動させることができる装置であれば搬送装置１００に含まれる。例えば、搬送装置１００としては、コンベア、軌条が床面、天井などに設けられる有軌道搬送車、床面上を自己位置を判断しながら走行する無軌道搬送車、対象物２００を上下方向に移動させる昇降装置、ピッキングロボットを例示することができ、これらが組み合わされた設備も搬送装置１００に含まれる。
【００３３】
図２は、端末装置が取り付けられた被搬送体を示す斜視図である。
【００３４】
被搬送体２１１は、搬送装置１００が通常操業時に搬送する荷物である対象物２００、または、対象物２００を模したダミーである。本実施の形態の場合、搬送装置１００が搬送する対象物２００は、統一された形状の容器に様々な物品が収容されるものであるため、被搬送体２１１は、同じ形状の容器２１４に、端末固定手段２１２と、錘固定手段２１３とを備えたダミーである。
【００３５】
端末固定手段２１２は、端末装置３００を容器２１４に固定できる構造であれば、特に限定されるものではない。本実施の形態の場合、端末固定手段２１２は、容器２１４の面積の狭い内壁面に設けられており、端末装置３００を内壁面に押し付けるように固定することができるものとなっている。
【００３６】
端末固定手段２１２、または、容器２１４は、端末装置３００を固定した際に端末装置３００の表面部に設けられるカメラのレンズを露出させる孔部、または、切欠部を備えてもよい。
【００３７】
このように、端末装置３００を被搬送体２１１に固定できる構造を被搬送体２１１が備えることで、搬送装置１００が被搬送体２１１を搬送する際の被搬送体２１１の動作などを端末装置３００が備える内部検出器で正確に測定することができ、搬送装置１００を正確に点検することができる。
【００３８】
錘固定手段２１３は、被搬送体２１１に錘を簡単に取り付け、または、被搬送体２１１から錘を簡単に取り外すための構造である。錘固定手段２１３の構造は特に限定されるものではないが、本実施の形態の場合は、砂袋などの重さの調整が容易な錘を収容することができる箱状の構造体となっている。また、被搬送体２１１は、錘固定手段２１３を四隅に備えており、これらの錘固定手段２１３にそれぞれ錘を入れる事で、対象物２００の重量バランスを再現することが可能となる。また、錘固定手段２１３を四隅に配置することで、対象物２００に収容される物品を容器２１４内に配置し、物品の状態を端末装置３００で観察することも可能となっている。
【００３９】
図３は、端末装置の機構構成を示すブロック図である。
【００４０】
同図に示すように、端末装置３００は、表示装置３１０、内部検出器３２０、入力手段３３０、通信手段３４０、記憶手段３５０、および、制御手段３７０を備える携帯型の装置であれば、特に限定されるものではない。本実施の形態の場合、端末装置３００は、接続手段３６０とスピーカ３８０とを備えている。具体的に端末装置３００としては、例えばスマートフォン、タブレット端末、ＰＤＡ（Ｐｅｒｓｏｎａｌ  Ｄｉｇｉｔａｌ  Ａｓｓｉｓｔａｎｔ）等の可搬型の無線通信装置や、携帯型音楽端末、ポータブルゲーム機などを例示することができる。
【００４１】
制御手段３７０は、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＲＯＭ（Ｒｅａｄ  ｏｎｌｙ  ｍｅｍｏｒｙ）、ＲＡＭ（Ｒａｎｄｏｍ  Ａｃｃｅｓｓ  Ｍｅｍｏｒｙ）等を有するマイクロコンピュータであり、記憶手段３５０に記憶されているプログラムを実行することにより各処理部を実現する装置である。制御手段３７０の入出力インターフェースには、表示装置３１０、内部検出器３２０、入力手段３３０、通信手段３４０、記憶手段３５０、接続手段３６０、スピーカ３８０が接続されている。
【００４２】
表示装置３１０は、液晶ディスプレイや、有機ＥＬディスプレイなど画像を表示することができる装置である。本実施の形態の場合、端末装置３００の一面のほぼ全体が表示装置３１０で占められている。
【００４３】
内部検出器３２０は、加速度センサ、ジャイロセンサ、磁気センサ、照度センサ、カメラ、および、マイクから選ばれる１または複数の検出器を含む装置である。
【００４４】
加速度センサは、端末装置３００の直線方向の運動の変化を加速度として検出する検出器であり、本実施の形態の場合、ＸＹＺ軸の３方向の加速度を１デバイスで測定できるセンサが採用されている。これにより、搬送装置１００による被搬送体２１１の動作（運動）、被搬送体２１１に加えられる衝撃の方向や大きさを三次元的に検出することが可能となる。
【００４５】
ジャイロセンサは、端末装置３００の回転方向の運動の変化を角加速度として検出する検出器であり、本実施の形態の場合、ＸＹＺ軸の３軸を中心軸とする角加速度を１デバイスで測定できるセンサが採用されている。これにより、搬送装置１００により被搬送体２１１の進行方向が変えられた時の方向の変化量などを三次元的に検出することができる。
【００４６】
磁気センサは、地球の磁場の方向を検出することができる検出器である。これにより、被搬送体２１１の絶対的な姿勢を検出することができる。
【００４７】
照度センサは、端末装置３００の周囲の照度を検出することができる検出器である。これにより、被搬送体２１１が搬送装置１００の暗い部分を通過しているか、明るい部分を通過しているかを検出することができる。
【００４８】
カメラは、光学系と撮像素子とを備え、画像をデジタル信号に変換する検出器である。カメラが被搬送体２１１の外部を撮像する場合は、被搬送体２１１が搬送装置１００のどの部分を通過しているかを検出することができる。カメラが被搬送体２１１の内部を撮像する場合、例えば、被搬送体２１１の内部に任意に配置した物品の搬送途中の挙動を検出することができる。
【００４９】
マイクは、端末装置３００の周囲に存在する音を音声信号に変換して検出する検出器である。
【００５０】
入力手段３３０は、例えば表示装置３１０の表面又は内部に設けられたタッチセンサ、機械式操作ボタン等である。タッチセンサは、ユーザの指が表示装置３１０に触れたこと、指が触れた位置等を検出することにより、ユーザの操作を受け付け、受け付けた操作情報を制御手段３７０に出力する。
【００５１】
通信手段３４０は、他の通信手段を備える機器との間で無線通信を介して信号の送受信を行う装置である。通信手段３４０は、無線通信を行うことができる装置であれば、特に限定されるものではなく、例えば、３Ｇ回線、４Ｇ回線、ＬＴＥ（Ｌｏｎｇ  Ｔｅｒｍ  Ｅｖｏｌｕｔｉｏｎ）回線等の商用通信回線を介して信号を送受信し、通話音声及び各種データの送受信を行う装置、例えばＩＥＥＥ８０２．１１規格、ＷｉＦｉ規格に準拠した無線通信を行う装置などを例示することができる。
【００５２】
記憶手段３５０は、検出器から出力される情報に時刻情報が関連付けられたデータを記憶する装置である。記憶手段３５０は特に限定されるものではないが、不揮発メモリなどを例示することができる。具体的に記憶手段３５０を例示すると、端末装置３００のスロットに装着されたメモリカードなどである。
【００５３】
接続手段３６０は、後述の外部検出器３２１と有線により接続され、外部検出器３２１が出力した信号を制御手段３７０に出力する接続端子を備えたインターフェースである。本実施の形態の場合、接続手段３６０は、ＵＳＢ（Ｕｎｉｖｅｒｓａｌ  Ｓｅｒｉａｌ  Ｂｕｓ）である。
【００５４】
外部検出器３２１は、一酸化炭素センサ、二酸化炭素センサ、温度センサ、および、湿度センサから選ばれる１または複数の検出器を含む装置であり、端末装置３００だけでは検出できない情報を補完的に検出する装置である。
【００５５】
スピーカ３８０は、音響信号を空気の振動である音に変換する装置である。本実施の形態の場合スピーカ３８０は、検出器の１つであるマイクによって録音された音声データを再生する再生装置として機能する。
【００５６】
次に、被搬送体２１１、および、端末装置３００を用い、対象物２００を自動的に搬送する搬送装置１００の装置点検方法を説明する。
【００５７】
図４は、装置点検方法の流れを示すフローチャートである。
【００５８】
被搬送体２１１に、端末装置３００を取り付ける（Ｓ１０１：取り付けステップ）。また、外部検出器３２１と端末装置３００の接続手段３６０とを有線接続する。本実施の形態の場合、被搬送体２１１は、上部が開放された箱状のダミーであり、端末装置３００が備えるカメラのレンズは、被搬送体２１１の内方と外方とを同時に撮像できる画角を備えている。端末装置３００は、カメラの視野が被搬送体２１１の搬送方向の後方から前方に向かい、被搬送体２１１の内方および外方を画角内に含むように被搬送体２１１の後方に対応する側壁の内面に取り付けられている。端末装置３００は、カメラのレンズの側方には、照明装置を備えており、照明装置を点灯することで画角内に配置される被写体を照明することができるものとなっている。
【００５９】
また、被搬送体２１１は、ダミーであるため、対象物２００の実際の搬送状態を再現するために、対象物２００の平均的な重量に合致するよう錘固定手段２１３に錘を固定する（Ｓ１０２：重量調整ステップ）。なお、被搬送体２１１の内部に対象物２００に収容される物品やそのダミーを配置してもかまわない。
【００６０】
被搬送体２１１に端末装置３００を取り付ける前、または、後において、作業者は、端末装置３００の入力手段３３０を用いて、データロギングプログラムを端末装置３００の制御手段３７０に実行させる。作業者は次に、データロギングプログラムにより表示装置３１０に表示される画面に従い、搬送装置１００の搬送ルートを識別するルート情報、被搬送体２１１に取り付けた錘による被搬送体２１１の重さを示す重量情報、被搬送体２１１内に収容する物品やダミーの有無や種類などを示す情報など入力する。端末装置３００は、これらの情報を入力手段３３０により受け付け、データロギングプログラムによりロギングするデータにルート情報、重量情報などが関連付けられるように記憶手段３５０に記憶する準備を行う。
【００６１】
また、データロギングプログラムにより、作業者は、内部検出器３２０、および、外部検出器３２１から１または複数の任意の検出器を選定することも可能である。本実施の形態の場合、検出器として加速度センサ、カメラ、および、マイクが選定される。
【００６２】
次に、端末装置３００の内部検出器３２０、および、外部検出器３２１の少なくとも１つの検出器を稼働させた状態で被搬送体２１１を搬送装置１００で搬送する（Ｓ１０３：搬送ステップ）。ここで、被搬送体２１１を搬送装置１００に単独で搬送しても良く、また、対象物２００に被搬送体２１１を混ぜた状態で搬送装置１００に搬送させてもかまわない。
【００６３】
以上により、内部検出器３２０から出力された情報に時刻情報が関連付けられたデータが記憶手段３５０に記憶されていく（Ｓ１０４：記録ステップ）。
【００６４】
搬送装置１００の所定の搬送ルートを通過した被搬送体２１１は、搬送装置１００から取り出される。また、被搬送体２１１から端末装置３００が取り外される。
【００６５】
次に作業者が端末装置３００のデータロギングプログラムを操作することにより、記憶手段３５０に記憶されたデータを時系列に沿って表示装置３１０に表示する（Ｓ１０５：表示ステップ）。例えば、図５、図６に示すように、表示装置３１０に複数のデータを表示する。
【００６６】
ここで、データロギングプログラムは、データの表示態様を様々に変化させることが可能である。
【００６７】
具体的に例えば、図５に示すように、カメラから得られた画像情報３１１と、加速度センサから得られた３軸方向（相互に直交するＸ軸、Ｙ軸、Ｚ軸方向）の加速度データ３１２をグラフ形式にして同時に表示装置３１０に表示している。また、加速度データ３１２の画像上には、測定時刻を示すマーカ３１３が表示されており、画像情報３１１の下方に配置されるシークバー３１４内のスライダ３１５とマーカ３１３とが同期して移動し、これに対応して画像情報３１１が示す画像が変化する。
【００６８】
これにより、加速度が大きく変化した際の、その場所における被搬送体２１１の内外の様子を把握することが可能となる。
【００６９】
また、スライダ３１５が示す時刻のマイクにより取得された音声データをスピーカ３８０から出力させることもできる。これにより、異常の発生を耳と目とで確認し、異常の発生箇所を画像で確認できるため、異常の発生箇所を容易に特定することができる。さらに、異常の発生により被搬送体２１１の内方に配置された物品やダミーなどの挙動も確認することが可能となる。
【００７０】
さらに、図６に示すように、異常が発生した思われる時間帯の加速度データ３１２と、同じ時間帯のジャイロセンサから得られた角加速度データ３１６とを同時に表示することで、異常の状態を詳細に分析することも可能となる。
【００７１】
以上の装置点検方法によれば、一般的に用いられているスマートフォンやタブレット端末を被搬送体２１１に取り付けて搬送装置１００に搬送させることで、搬送装置１００の稼働状態を点検することができ、簡易かつ効果的に搬送装置１００の状態を把握することが可能となる。
【００７２】
また、搬送装置１００の通常の操業中に被搬送体２１１を対象物２００に混ぜて搬送装置１００の状態を点検することにより、点検のために搬送装置１００の操業を中断したり、操業していない深夜などに搬送装置１００を点検する必要がなくなる。
【００７３】
また、内部検出器３２０、外部検出器３２１などを用いて様々な検出器から様々な情報をロギングすることができ、搬送装置１００の状態ばかりでなく、環境情報、例えば、温度、湿度、一酸化炭素濃度、二酸化炭素濃度などを搬送ルートに沿って取得し、確認することができる。
【００７４】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【００７５】
例えば、端末装置３００は、被搬送体２１１の外側などいずれの場所に固定されていてもかまわない。図７に示すように、端末装置３００を被搬送体２１１の上面部に配置してもかまわない。
【００７６】
また、図７に示すように、端末装置３００の内部検出器３２０は、カメラとして被搬送体２１１の外方を撮像する外カメラと、被搬送体２１１の内方を撮像する内カメラとを備え、外カメラ、および、内カメラを同時に、または、所定の時間毎に交互に稼働させた状態で搬送させてもかまわない。これにより、外カメラに基づく画像データと内カメラに基づく画像データとを同時に、または、切り替えて表示装置３１０に表示させることで、被搬送体２１１の内方に配置された物品などの挙動と搬送ルートの対応箇所との相互関係などを観察することができる。
【００７７】
また、図８に示すように、外カメラで被搬送体２１１の外方（図８では後方）を撮像し、内カメラで被搬送体２１１の内方、および、外方の少なくとも一方が撮像できるように端末装置３００を配置してもかまわない。また、端末装置３００は横向きに配置しても良い。
【００７８】
また、データを端末装置３００が備える表示装置３１０に表示する場合を説明したが、データなどは、通信手段３４０による無線通信や、接続手段３６０による有線通信により外部に出力してもかまわない。また、出力タイミングも特に限定されるものではなく、搬送終了後に出力する場合や、搬送途中において所定の時間ごとに出力してもかまわない。
【００７９】
また、被搬送体２１１に一台の端末装置３００を固定する場合を説明したが、端末装置３００を複数台固定してもかまわない。
【００８０】
また、外部検出器３２１は、有線接続ばかりでなく、端末装置３００の通信手段３４０と無線接続されてもよい。
【００８１】
また、検出器の１つである照度センサからの信号に基づき、照度が所定の閾値未満では照明装置を点灯させ、前記閾値以上では照明装置を消灯させてもよい。また、照明装置は被検出体２１１を搬送中は常時点灯したままとしてもよい。
【００８２】
また、各検出器から出力されるデータは、端末装置３００の内部に設けられる記憶手段３５０に記憶させるばかりでなく、被搬送体２１１内に収容されるハードディスクなどの外付けの記憶手段に記憶させてもかまわない。また、内部に設けられる記憶手段３５０と外部の記憶手段３５０の両方に記憶させてもかまわない。さらに、無線通信を利用して所定の間隔毎などに外部の記憶手段に記憶させてもかまわない。
【００８３】
また、データを時系列に沿って表示する際は時刻ではなく、搬送開始を０として経過時間を表示させても良い。
【００８４】
また、データの表示、または、出力タイミングは特に限定されるものではなく、例えば、搬送の全行程経過後、設定時間経過後、および、加速度等の変化がなくなった後などのいずれかのタイミングで自動的に表示装置３１０または外部に出力する。
【産業上の利用可能性】
【００８５】
本願発明は、対象物を移動させるあらゆる搬送装置に適用することができる。
【符号の説明】
【００８６】
１００  搬送装置
１２０  移載装置
２００  対象物
２１０  ラック
２１１  被搬送体
２１２  端末固定手段
２１３  錘固定手段
２１４  容器
３００  端末装置
３１０  表示装置
３２０  内部検出器
３２１  外部検出器
３３０  入力手段
３４０  通信手段
３５０  記憶手段
３６０  接続手段
３７０  制御手段
３８０  スピーカ
【図１】
2019006509.tif 000003
【図２】
2019006509.tif 000004
【図３】
2019006509.tif 000005
【図４】
2019006509.tif 000006
【図５】
2019006509.tif 000007
【図６】
2019006509.tif 000008
【図７】
2019006509.tif 000009
【図８】
2019006509.tif 000010